(57)【要約】      （修正有）【課題】組み合わせを自由に替えることが可能であり、更には装飾体を構成する装飾物自体を自由に取り換え可能な装飾体を提供する。【解決手段】板材２２と、板材２２の周縁に設けられた枠材２３と、板材２２あるいは枠材２３に取り付けられた装飾物２１とにより成る展示物２０と、複数の展示物２０を取り付け可能な取り付け板と、展示物２０を取り付け板に対して着脱可能とする着脱手段と、により成る装飾体であって、着脱手段が、展示物２０の裏面に取り付けられた係止ピン４１と、取り付け板の表面に取り付けられた、複数の孔部を備えた板材とにより成る。【選択図】図５
0003213143.tif 000002
【実用新案登録請求の範囲】
【請求項１】
板材と、板材の周縁に設けられた枠材と、板材あるいは枠材に取り付けられた装飾物とにより成る展示物と、
複数の展示物を取り付け可能な取り付け板と、
展示物を取り付け板に対して着脱可能とする着脱手段と、
により成る装飾体。
【請求項２】
着脱手段が、展示物の裏面に取り付けられた係止ピンと、取り付け板の表面に取り付けられた、複数の孔部を備えた板材とにより成る請求項１に記載の装飾体。
【請求項３】
装飾物を板材あるいは枠材に対して着脱自在にした請求項１又は請求項２記載の装飾体。
【請求項４】
面状ファスナを用いて着脱自在にした請求項３記載の装飾体。
【請求項５】
装飾物が織物である請求項１乃至請求項４いずれかに記載の装飾体。
【請求項６】
複数の展示物が一つの図柄を形成する請求項１乃至請求項５いずれかに記載の装飾体。
【考案の詳細な説明】
【技術分野】
【０００１】
本考案は装飾体に関し、より詳しくは装飾体あるいは装飾体を構成する展示物を自由に組替えることが可能な装飾体に関する。
【背景技術】
【０００２】
壁面等を装飾するために絵画や写真等を掛けることが行われている。また、織物を用いたタペストリーを壁に掛けることも好まれている。
【０００３】
特許文献１には、連結可能な額が開示されている。特許文献２には、組み合わせ自在な装飾パネルが開示されている。
【先行技術文献】
【特許文献】
【０００４】
【特許文献１】特開２００４−７３７９６号公報
【特許文献２】実開昭５４−２９８９４号公報
【考案の開示】
【考案が解決しようとする課題】
【０００５】
本考案は、組み合わせを自由に替えることが可能であり、更には装飾物自体を自由に取り換え可能な装飾体を提供することを目的とする。
【課題を解決するための手段】
【０００６】
上記課題を解決する本考案の構成は、以下の通りである。
【０００７】
（１）  請求項１記載の考案は、板材と、板材の周縁に設けられた枠材と、板材あるいは枠材に取り付けられた装飾物とにより成る展示物と、複数の展示物を取り付け可能な取り付け板と、展示物を取り付け板に対して着脱可能とする着脱手段とにより構成した。
【０００８】
（２）  請求項２記載の考案は、請求項１記載の装飾体において、着脱手段を、展示物の裏面に取り付けられた係止ピンと、取り付け板の表面に取り付けられた複数の孔部を備えた板材とにより構成した。
【０００９】
（３）  請求項３記載の考案は、請求項１又は請求項２記載の装飾体において、装飾物を板材あるいは枠材に対して着脱自在に構成した。
【００１０】
（４）  請求項４記載の考案は、請求項３記載の装飾体において、装飾物を面状ファスナを用いて着脱自在に構成した。
【００１１】
（５）  請求項５記載の考案は、請求項１乃至請求項４いずれかに記載の装飾体において、装飾物を織物で構成した。
【００１２】
（６）  請求項６記載の考案は、請求項１乃至請求項５いずれかに記載の装飾体において、複数の展示物が一つの図柄を形成するよう構成した。
【考案の効果】
【００１３】
上記のように構成される本考案が、如何に作用して課題を解決するかを図面を参照しながら概説する。
【００１４】
図４や図６に示すように、展示物２０はその裏面に着脱手段たる係止ピン４１が複数設けられている。取り付け板３０の表面には、図７や図１０に示すように板材４２が取り付けられおり、この板材４２には、係止ピン４１を嵌め込むことで係止可能な孔部４２ａが複数設けられている。
【００１５】
かような構成とすることで、展示物２０を取り付け板３０の任意位置に着脱自在とすることができると共に、図１に示すように様々な展示物２０を様々に組み合わせることが可能となる。
【００１６】
また、結婚式や披露宴の会場などで、新婦が着る打掛の素材である反物等の織物を装飾物２１に用いて展示物２０を構成すると共に、ウエルカムボードを装飾物２１に用いて他の展示物２０とし、これらを組み合わせて取り付け板３０に取り付ければ、結婚式や披露宴に好適な装飾体を構成することが可能となる。
【００１７】
また、装飾物２１を板材２２に対して着脱自在にすれば、展示物２０自体を様々なデザインなものとなすことが可能となり、より装飾性の高い装飾体の提供が可能となる。
【００１８】
また、図２に示すように複数の展示物２０が一つの図柄を形成するようにすれば、より大きな壁面を飾ることが可能となり、装飾性に富んだ空間デザインが可能となる。
【図面の簡単な説明】
【００１９】
【図１】装飾体の正面図
【図２】装飾体の斜視図
【図３】展示物の正面図
【図４】展示物の右側面図
【図５】図３におけるＡ−Ａ線断面図
【図６】展示物の背面図
【図７】取り付け板の正面図
【図８】取り付け板の平面図
【図９】図７におけるＢ−Ｂ線断面図
【図１０】取り付け板の斜視図
【図１１】取り付け板の要部拡大説明図
【考案を実施するための形態】
【００２０】
以下、好ましい本発明の構成要素の実施形態につき、図面を参照しながら概説する。なお、本発明構成要素の実施形態は、下記の実施形態に何ら限定されることはなく、本考案の技術的範囲に属する限り種々の形態を採りうる。
【００２１】
図３乃至図６は、展示物２０を示すものである。展示物２０は、平板状の板材２２と、板材２２の周縁を囲む枠材２３、板材２２に取り付けられる装飾物２１とにより成るものである。
【００２２】
図５に示すように枠材２３には溝２３ａが設けられており、当該溝２３ａに板材２２が嵌め込まれている。
【００２３】
装飾物２１は板材２２に貼り付けてもよいが、着脱自在に構成すれば、より様々な利用が可能となる。着脱自在とするための手段は、面状ファスナを板材２２と装飾物２１それぞれに取り付けてもよいし、その他、双方にホックを取り付けるといった手段でも構わない。装飾物２１としては織物や印刷物、絵画や写真、書、その他の意匠物やウエルカムボードまた、案内表示なども利用可能である。
【００２４】
図７乃至図１０は、取り付け板３０を示すものである。取り付け板３０は、平板状の板材３１と、板材３１の周縁を囲む枠材３２、及び展示物２０を取り付けるための着脱手段とにより成るものである。
【００２５】
図９に示すように枠材３２には溝３２ａが設けられており、当該溝３２ａに板材３１が嵌め込まれている。
【００２６】
取り付け板３０に装飾体２０を着脱自在とするための着脱手段としては、面状ファスナを装飾体２０の裏面と取り付け板３０の表面それぞれに取り付けてもよいし、その他、双方にホックを取り付けるといった手段でも構わない。あるいは取り付け板３０の表面にフックを装飾体２０の裏面にリングを取り付け、リングをフックに係止するといった手段でも構わない。
【００２７】
請求項２に記載の考案においては、展示物２０の裏面に取り付けられた係止ピン４１と、取り付け板３０の表面に取り付けられた複数の孔部４２ａを備えた板材４２とにより着脱手段を構成した。
【００２８】
係止ピン４１は図５や図１１に示すように径が大きい円柱体の頭部４１ａと径が小さい円柱体の軸部４１ｂとにより成り、図６に示すように展示物２０の裏面の四隅に設けられるものである。
【００２９】
板材４２は、図８や図１１に示すように平面視コ字状を呈する縦長の板材であり、孔部４３が複数設けられている。孔部４３は、円形部４３aと長方形部４３ｂを備えている。また、板材４２は板材３１にボルト５０で固定されている。  
【００３０】
取り付け板３０と装飾体２０の具体的な着脱方法は、装着時は係止ピン４１の頭部４１ａを、板材４２の円形部４３ａに嵌め込み、軸部４１ｂを長方形部４３ｂ内を下方に移動させることで、頭部４１ａが長方形部４３ｂにより係止・固定されるものであり、脱着方法は、逆に軸部４１ｂを長方形部４３ｂ内を上方に移動させ、頭部４１ａを円形部４３ａから抜くというものである。
【００３１】
請求項６記載の考案は、図２に示すように、複数の展示物２０が一つの図柄を形成するよう構成した。具体的には装飾物２１が複数合わさって一つの図柄になるように構成されている。
【符号の説明】
【００３２】
１０・・装飾体
２０・・展示物
２１・・装飾物
２２・・板材
２３・・枠材
３０・・取り付け板
３１・・板材
３２・・枠材
４１・・係止ピン
４２・・板材
４３・・孔部
【図１】
0003213143.tif 000003
【図２】
0003213143.tif 000004
【図３】
0003213143.tif 000005
【図４】
0003213143.tif 000006
【図５】
0003213143.tif 000007
【図６】
0003213143.tif 000008
【図７】
0003213143.tif 000009
【図８】
0003213143.tif 000010
【図９】
0003213143.tif 000011
【図１０】
0003213143.tif 000012
【図１１】
0003213143.tif 000013